【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
第１電極層と、
第２電極層と、
を含んで構成され、
前記第１電極層及び前記第２電極層は、カーボンナノチューブが浸出した複数の連続繊維を含んで構成されることを特徴とする電気装置。
【請求項２】
基板と、
前記第１電極層と前記第２電極層との間に配置され、電解質のイオンに対して透過性である隔離材料の層と、
前記第１電極層及び前記第２電極層と接触する電解質と、
を更に含んで構成される請求項１に記載の電気装置。
【請求項３】
前記第１電極層の前記複数の連続繊維は、前記基板の周囲に等角的に巻回され、
前記第２電極層の前記複数の連続繊維は、前記隔離材料の層の周囲に等角的に巻回される請求項２に記載の電気装置。
【請求項４】
少なくとも１つの隔離材料の付加層と、
カーボンナノチューブが浸出した複数の連続繊維を含んで構成される少なくとも１つの付加電極層と、
を更に含んで構成され、
各電極層は隔離材料の層によって互いに分離され、かつ、前記電解質は各電極層と接触している請求項３に記載の電気装置。
【請求項５】
前記複数の連続繊維は、前記第１電極層及び前記第２電極層において互いに略平行である請求項１に記載の電気装置。
【請求項６】
前記連続繊維は、カーボンナノチューブが浸出する前に電気伝導性である請求項１に記載の電気装置。
【請求項７】
前記連続繊維は、カーボンナノチューブが浸出する前に非電気伝導性である請求項１に記載の電気装置。
【請求項８】
前記第１電極層及び前記第２電極層と結合される導電率強化材を更に含んで構成され、
前記導電率強化材は、金属箔、金属リボン、金属粉、金属ナノ粒子及びそれらの組合せからなる群より選択される金属形態を含んで構成される請求項７に記載の電気装置。
【請求項９】
カーボンナノチューブが浸出した複数の連続繊維を提供すること、
前記複数の連続繊維の第１部分から第１電極層を形成すること、及び、
前記複数の連続繊維の第２部分から第２電極層を形成すること、
を含んで構成されることを特徴とする方法。
【請求項１０】
前記第１電極層と前記第２電極層との間に隔離材料の層を付加すること、
前記第１電極層と前記第２電極層を電解質にさらすこと、
を更に含んで構成され、
前記隔離材料は、電解質のイオンに対して透過性である請求項９に記載の方法。
【請求項１１】
第１電極層の形成は、基板の周囲に等角的に前記複数の連続繊維の前記第１部分を巻回することを含んで構成され、
第２電極層の形成は、前記第１電極層上に等角的に前記複数の連続繊維の前記第２部分を巻回することを含んで構成される請求項１０に記載の方法。
【請求項１２】
基板の周囲に等角的に前記複数の連続繊維の前記第１部分を巻回すること、第１電極層上に等角的に前記複数の連続繊維の前記第２部分を巻回すること、及び、前記第１電極層と前記第２電極層との間に隔離材料の層を付加することは、全て同時に行われる請求項１１に記載の方法。
【請求項１３】
前記第１電極層及び前記第２電極層の隣接巻線における前記複数の連続繊維の重なり合いは略ない請求項１１に記載の方法。
【請求項１４】
前記第２電極層上に少なくとも１つの隔離材料の付加層を付加することと、
前記第２電極層上に少なくとも１つの付加電極層を巻回することと、
を更に含んで構成され、
前記少なくとも一つの付加電極層は、カーボンナノチューブが浸出した複数の連続繊維を含んで構成され、
各電極層は隔離材料の層によって互いに分離され、かつ、
前記電解質は各電極層と接触している請求項１０に記載の方法。
【請求項１５】
前記複数の連続繊維は、前記第１電極層及び前記第２電極層において互いに略平行である請求項９に記載の方法。
【請求項１６】
カーボンナノチューブが浸出した複数の連続繊維を提供することと、
基板の周囲に等角的に前記複数の連続繊維の一部を巻回することによって第１電極層を形成することと、
前記第１電極層上に等角的に前記複数の連続繊維の分離部分を巻回することによって前記第１電極層上に少なくとも２つの付加電極層を形成することと、
を含んで構成されることを特徴とする方法。
【請求項１７】
各電極層の間に隔離材料の層を付加することと、
前記第１電極層及び前記少なくとも２つの付加電極層を電解質にさらすことと、
を更に含んで構成され、
前記隔離材料は、前記電解質のイオンに対して透過性である請求項１６に記載の方法。
【手続補正２】
【補正対象書類名】明細書
【補正対象項目名】０１１９
【補正方法】変更
【補正の内容】
【０１１９】
本発明は開示された実施形態を参照して説明されたが、当業者であれば、これらが本発
明の例示にすぎないことを容易に認識するであろう。当然のことながら、本発明の精神か
ら逸脱することなく、様々な変形例を考え出すことが可能である。
出願当初の特許請求の範囲は以下のようであった。
[請求項１]
第１電極層と、
第２電極層と、
を含んで構成され、
前記第１電極層及び前記第２電極層は、カーボンナノチューブが浸出した複数の連続繊維を含んで構成されることを特徴とする電気装置。
[請求項２]
基板と、
前記第１電極層と前記第２電極層との間に配置され、電解質のイオンに対して透過性である隔離材料の層と、
前記第１電極層及び前記第２電極層と接触する電解質と、
を更に含んで構成される請求項１に記載の電気装置。
[請求項３]
前記第１電極層の前記複数の連続繊維は、前記基板の周囲に等角的に巻回され、
前記第２電極層の前記複数の連続繊維は、前記隔離材料の層の周囲に等角的に巻回される請求項２に記載の電気装置。
[請求項４]
前記基板及び前記隔離材料層の周囲の隣接巻線における前記複数の連続繊維の重なり合いは略ない請求項３に記載の電気装置。
[請求項５]
少なくとも１つの隔離材料の付加層と、
カーボンナノチューブが浸出した複数の連続繊維を含んで構成される少なくとも１つの付加電極層と、
を更に含んで構成され、
各電極層は隔離材料の層によって互いに分離され、かつ、前記電解質は各電極層と接触している請求項３に記載の電気装置。
[請求項６]
外側絶縁体ケーシングを更に含んで構成される請求項５に記載の電気装置。
[請求項７]
前記基板、前記第１電極層、前記第２電極層及び前記隔離材料の層は、前記電解質の貯蔵タンク内に存在する請求項２に記載の電気装置。
[請求項８]
前記第１電極層の前記複数の連続繊維に接続される第１電極端子と、
前記第２電極層の前記複数の連続繊維に接続される第２電極端子と、
を更に含んで構成される請求項２に記載の電気装置。
[請求項９]
前記第１電極端子と前記第２電極端子は前記基板上に配置される請求項８に記載の電気装置。
[請求項１０]
前記複数の連続繊維は、繊維トウ、繊維テープ、繊維リボン及びそれらの組合せからなる群より選択される繊維形態を含んで構成される請求項１に記載の電気装置。
[請求項１１]
前記複数の連続繊維は、前記第１電極層及び前記第２電極層において互いに略平行である請求項１に記載の電気装置。
[請求項１２]
前記連続繊維は、カーボンナノチューブが浸出する前に電気伝導性である請求項１に記載の電気装置。
[請求項１３]
前記連続繊維は、連続金属繊維を含んで構成される請求項１２に記載の電気装置。
[請求項１４]
前記連続繊維は、連続炭素繊維を含んで構成される請求項１２に記載の電気装置。
[請求項１５]
前記連続繊維は、カーボンナノチューブが浸出する前に非電気伝導性である請求項１に記載の電気装置。
[請求項１６]
前記第１電極層及び前記第２電極層と結合される導電率強化材を更に含んで構成され、
前記導電率強化材は、金属箔、金属リボン、金属粉、金属ナノ粒子及びそれらの組合せからなる群より選択される金属形態を含んで構成される請求項１５に記載の電気装置。
[請求項１７]
外側絶縁体ケーシングを更に含んで構成される請求項１に記載の電気装置。
[請求項１８]
前記外側絶縁体ケーシングは、収縮ラップ材料を含んで構成される請求項１７に記載の電気装置。
[請求項１９]
スーパーキャパシタを含んで構成される請求項１に記載の電気装置。
[請求項２０]
前記スーパーキャパシタは、連続繊維のグラム当りで、少なくとも約１Farad/gramの静電容量を有する請求項１９に記載の電気装置。
[請求項２１]
前記スーパーキャパシタは、連続繊維のグラム当りで、少なくとも約２Farad/gramの静電容量を有する請求項２０に記載の電気装置。
[請求項２２]
前記浸出したカーボンナノチューブは、前記連続繊維の表面に対して略垂直である請求項１に記載の電気装置。
[請求項２３]
電解質は、非有機電解質を含んで構成される請求項１に記載の電気装置。
[請求項２４]
電解質は、有機電解質を含んで構成される請求項１に記載の電気装置。
[請求項２５]
カーボンナノチューブが浸出した複数の連続繊維を提供すること、
前記複数の連続繊維の第１部分から第１電極層を形成すること、及び、
前記複数の連続繊維の第２部分から第２電極層を形成すること、
を含んで構成されることを特徴とする方法。
[請求項２６]
前記第１電極層と前記第２電極層との間に隔離材料の層を付加すること、
前記第１電極層と前記第２電極層を電解質にさらすこと、
を更に含んで構成され、
前記隔離材料は、電解質のイオンに対して透過性である請求項２５に記載の方法。
[請求項２７]
第１電極層の形成は、基板の周囲に等角的に前記複数の連続繊維の前記第１部分を巻回することを含んで構成され、
第２電極層の形成は、前記第１電極層上に等角的に前記複数の連続繊維の前記第２部分を巻回することを含んで構成される請求項２６に記載の方法。
[請求項２８]
基板の周囲に等角的に前記複数の連続繊維の前記第１部分を巻回すること、第１電極層上に等角的に前記複数の連続繊維の前記第２部分を巻回すること、及び、前記第１電極層と前記第２電極層との間に隔離材料の層を付加することは、全て同時に行われる請求項２７に記載の方法。
[請求項２９]
前記第１電極層及び前記第２電極層の隣接巻線における前記複数の連続繊維の重なり合いは略ない請求項２７に記載の方法。
[請求項３０]
前記第１電極層は、前記隔離材料の層の付加前に前記電解質にさらされる請求項２６に記載の方法。
[請求項３１]
前記第１電極層及び前記第２電極層は、前記電解質に対して同時にさらされる請求項２６に記載の方法。
[請求項３２]
前記第１電極層及び前記第２電極層は、前記電解質の貯蔵タンク内に同時に浸漬されることを特徴とする請求項３１に記載の方法。
[請求項３３]
前記第２電極層上に少なくとも１つの隔離材料の付加層を付加することと、
前記第２電極層上に少なくとも１つの付加電極層を巻回することと、
を更に含んで構成され、
前記少なくとも一つの付加電極層は、カーボンナノチューブが浸出した複数の連続繊維を含んで構成され、
各電極層は隔離材料の層によって互いに分離され、かつ、
前記電解質は各電極層と接触している請求項２６に記載の方法。
[請求項３４]
外側絶縁体ケーシングを付加することを更に含んで構成される請求項３３に記載の方法。
[請求項３５]
前記複数の連続繊維は、繊維トウ、繊維テープ、繊維リボン及びそれらの組合せからなる群より選択される繊維形態を含んで構成される請求項２５に記載の方法。
[請求項３６]
前記複数の連続繊維は、前記第１電極層及び前記第２電極層において互いに略平行である請求項２５に記載の方法。
[請求項３７]
外側絶縁体ケーシングを付加することを更に含んで構成される請求項２５に記載の方法。
[請求項３８]
前記連続繊維はカーボンナノチューブが浸出する前に電気伝導性であり、前記連続繊維は連続金属繊維、連続炭素繊維及びそれらの組合せからなる群より選択される請求項２５に記載の方法。
[請求項３９]
カーボンナノチューブが浸出した複数の連続繊維を提供することと、
基板の周囲に等角的に前記複数の連続繊維の一部を巻回することによって第１電極層を形成することと、
前記第１電極層上に等角的に前記複数の連続繊維の分離部分を巻回することによって前記第１電極層上に少なくとも２つの付加電極層を形成することと、
を含んで構成されることを特徴とする方法。
[請求項４０]
各電極層の間に隔離材料の層を付加することと、
前記第１電極層及び前記少なくとも２つの付加電極層を電解質にさらすことと、
を更に含んで構成され、
前記隔離材料は、前記電解質のイオンに対して透過性である請求項３９に記載の方法。
[請求項４１]
前記第１電極層は、隔離材料の層を付加する前に前記電解質にさらされる請求項４０に記載の方法。
[請求項４２]
前記第１電極層及び前記少なくとも２つの付加電極層は、前記電解質に同時にさらされる請求項４０に記載の方法。
[請求項４３]
前記連続繊維はカーボンナノチューブが浸出する前に電気伝導性であり、前記連続繊維は連続金属繊維、連続炭素繊維及びそれらの組合せからなる群より選択される請求項３９に記載の方法。
[請求項４４]
前記複数の連続繊維は、繊維トウ、繊維テープ、繊維リボン及びそれらの組合せからなる群より選択される繊維形態を含んで構成される請求項３９に記載の方法。